(57)【特許請求の範囲】
【請求項１】
ユーザにより入力された検索キーとしての質問に基づいて、質問および回答を含む知識に関する知識情報データベースを検索する検索手段と、
前記検索手段の検索結果が検索ミスである場合、前記質問を前記知識情報データベースに登録する質問登録手段と、
登録された前記質問を公開し、回答者に該質問に対する回答を入力させ、該回答を前記知識情報データベースに登録する回答登録手段と、
前記質問に対応する回答の中からユーザにベストの回答を選択させ、該質問とベストの回答とを前記知識として前記知識情報データベースに登録する知識登録手段と、
前記検索手段により知識が検索された場合に、当該知識を表示するページを閲覧したユーザの当該知識に対する評価点の総和と前記知識を表示するページのページビューとの比に基づいて得られる値に基づいて知識を並べ替えて表示する知識表示手段と、
を備えたことを特徴とする知識検索装置。
【請求項２】
ユーザにより入力された検索キーとしての質問に基づいて、質問および回答を含む知識に関する知識情報データベースを検索する検索手段と、
前記検索手段の検索結果が検索ミスである場合、前記質問を前記知識情報データベースに登録する質問登録手段と、
登録された前記質問を公開し、回答者に該質問に対する回答を入力させ、該回答を前記知識情報データベースに登録する回答登録手段と、
前記質問に対応する回答の中からユーザにベストの回答を選択させ、該質問とベストの回答とを前記知識として前記知識情報データベースに登録する知識登録手段と、
前記知識登録手段に登録された知識の規定違反のユーザによる連絡数と前記知識を表示するページのページビューとの比に基づいて算出される値に基づいて、当該知識を閲覧不能に設定する閲覧不能設定手段と、
を備えたことを特徴とする知識検索装置。
【請求項３】
前記知識登録手段に登録された知識の規定違反のユーザによる連絡数と前記知識を表示するページのページビューとの比に基づいて算出される値に基づいて、当該知識を閲覧不能に設定する閲覧不能設定手段をさらに備えたことを特徴とする請求項１に記載の知識検索装置。
【請求項４】
前記ベストの回答を入力した回答者に対して、特典ポイントを付与する付与手段を備えたことを特徴とする請求項１〜３のいずれか１つに記載の知識検索装置。
【請求項５】
前記回答登録手段は、前記回答と、該回答の出典に関する出典情報とを入力させ、前記出典情報は前記回答とともに公開されることを特徴とする請求項１〜４のいずれか１つに記載の知識検索装置。
【請求項６】
前記ベストの回答として選択された旨を当該回答者へ通知する通知手段を備えたことを特徴とする請求項１〜５のいずれか１つに記載の知識検索装置。
【請求項７】
前記質問登録手段は、前記質問の回答に関する緊急度を前記質問者に入力させ、前記回答登録手段は、該質問および緊急度を前記回答者に公開することを特徴とする請求項１〜６のいずれか１つに記載の知識検索装置。
【請求項８】
コンピュータが、
ユーザにより入力された検索キーとしての質問に基づいて、質問および回答を含む知識に関する知識情報データベースを検索する検索工程と、
前記検索手段の検索結果が検索ミスである場合、前記質問を前記知識情報データベースに登録する質問登録工程と、
登録された前記質問を公開し、回答者に該質問に対する回答を入力させ、該回答を前記知識情報データベースに登録する回答登録工程と、
前記質問に対応する回答の中からユーザにベストの回答を選択させ、該質問とベストの回答とを前記知識として前記知識情報データベースに登録する知識登録工程と、
前記検索工程により知識が検索された場合に、当該知識を表示するページを閲覧したユーザの当該知識に対する評価点の総和と前記知識を表示するページのページビューとの比に基づいて得られる値に基づいて知識を並べ替えて表示する知識表示工程と、
を実行することを特徴とする知識検索方法。
【請求項９】
コンピュータが、
ユーザにより入力された検索キーとしての質問に基づいて、質問および回答を含む知識に関する知識情報データベースを検索する検索工程と、
前記検索手段の検索結果が検索ミスである場合、前記質問を前記知識情報データベースに登録する質問登録工程と、
登録された前記質問を公開し、回答者に該質問に対する回答を入力させ、該回答を前記知識情報データベースに登録する回答登録工程と、
前記質問に対応する回答の中からユーザにベストの回答を選択させ、該質問とベストの回答とを前記知識として前記知識情報データベースに登録する知識登録工程と、
前記知識登録工程により登録された知識の規定違反のユーザによる連絡数と前記知識を表示するページのページビューとの比に基づいて算出される値に基づいて、当該知識を閲覧不能に設定する閲覧不能設定工程と、
を実行することを特徴とする知識検索方法。
【請求項１０】
コンピュータに、
ユーザにより入力された検索キーとしての質問に基づいて、質問および回答を含む知識に関する知識情報データベースを検索する検索工程と、
前記検索工程の検索結果が検索ミスである場合、前記質問を前記知識情報データベースに登録する質問登録工程と、
登録された前記質問を公開し、回答者に該質問に対する回答を入力させ、該回答を前記知識情報データベースに登録する回答登録工程と、
前記質問に対応する回答の中からユーザにベストの回答を選択させ、該質問とベストの回答とを前記知識として前記知識情報データベースに登録する知識登録工程と、
前記検索工程により知識が検索された場合に、当該知識を表示するページを閲覧したユーザの当該知識に対する評価点の総和と前記知識を表示するページのページビューとの比に基づいて得られる値に基づいて知識を並べ替えて表示する知識表示工程と、
を実行させるための知識検索プログラム。
【発明の詳細な説明】
【技術分野】
【０００１】
本発明は、インターネット上で知識（質問および回答）の検索に用いて好適な知識検索装置、知識検索方法および知識検索プログラムに関するものであり、特に、ユーザインタフェースや回答の質を向上させることができる知識検索装置、知識検索方法および知識検索プログラムに関するものである。
【背景技術】
【０００２】
従来より、インターネット上で公開されている情報を検索する場合、ユーザは、コンピュータ端末を用いて、検索装置から提供される検索サイトにアクセスし、キーワードを入力する。これにより、検索装置は、検索キーワードを含む情報の検索結果（ＷｅｂサイトのＵＲＬ（Uniform Resource Locator）等）をコンピュータ端末に表示させる。
【０００３】
ここで、検索結果は、ユーザが所望する情報とは限らない。従って、ユーザは、クリック操作等により、ＵＲＬに対応するＷｅｂページを実際に開いて、確認しなければならず、所望の検索結果にたどり着くまで多大な時間を要することがしばしばあった。
【０００４】
そこで、近時では、検索サイトに質問者と回答者とを予め登録しておき、質問者から受け付けた質問を検索サイトにて公開し、公開された質問を閲覧した回答者が回答を検索サイトに登録することにより、質問および回答を知識として知識情報データベースに蓄積し、質問者が所望する情報（回答）を得ることができる知識検索装置が提案されている。
【０００５】
【特許文献１】特開２００２−２９８０００号公報
【発明の開示】
【発明が解決しようとする課題】
【０００６】
しかしながら、従来の知識検索装置においては、知識を検索するという操作と、質問を登録するという操作とが独立しているため、ユーザインタフェースが悪いという問題があった。すなわち、ユーザは、知識を検索するためにキーワード（質問文等）を入力し、検索ミス（検索ヒットしない場合）である場合、別途、質問を登録するための質問画面を立ち上げるという都合２回の操作が発生し、シームレスな操作が難しいのである。
【０００７】
また、従来の知識検索装置においては、一つの質問に対して複数の回答が寄せられる場合があるが、インターネットの匿名性より、正解の回答の他に、故意に全く的を得ていない回答が寄せられる場合が多く、回答の質の低下を招きやすいというシステム上の問題もあった。
【０００８】
本発明は、上記に鑑みてなされたものであって、ユーザインタフェースや回答の質を向上させることができる知識検索装置、知識検索方法および知識検索プログラムを提供することを目的とする。
【課題を解決するための手段】
【０００９】
上述した課題を解決し、目的を達成するために、本発明は、ユーザにより入力された検索キーとしての質問に基づいて、質問および回答を含む知識に関する知識情報データベースを検索する検索手段と、前記検索手段の検索結果が検索ミスである場合、前記質問を前記知識情報データベースに登録する質問登録手段と、登録された前記質問を公開し、回答者に該質問に対する回答を入力させ、該回答を前記知識情報データベースに登録する回答登録手段と、前記質問に対応する回答の中からユーザにベストの回答を選択させ、該質問とベストの回答とを前記知識として前記知識情報データベースに登録する知識登録手段と、前記検索手段により知識が検索された場合に、当該知識を表示するページを閲覧したユーザの当該知識に対する評価点の総和と前記知識を表示するページのページビューとの比に基づいて得られる値に基づいて知識を並べ替えて表示する知識表示手段と、を備えたことを特徴とする。
また、本発明は、ユーザにより入力された検索キーとしての質問に基づいて、質問および回答を含む知識に関する知識情報データベースを検索する検索手段と、前記検索手段の検索結果が検索ミスである場合、前記質問を前記知識情報データベースに登録する質問登録手段と、登録された前記質問を公開し、回答者に該質問に対する回答を入力させ、該回答を前記知識情報データベースに登録する回答登録手段と、前記質問に対応する回答の中からユーザにベストの回答を選択させ、該質問とベストの回答とを前記知識として前記知識情報データベースに登録する知識登録手段と、前記知識登録手段に登録された知識の規定違反のユーザによる連絡数と前記知識を表示するページのページビューとの比に基づいて算出される値に基づいて、当該知識を閲覧不能に設定する閲覧不能設定手段と、を備えたことを特徴とする。
【００１０】
また、本発明は、コンピュータが、ユーザにより入力された検索キーとしての質問に基づいて、質問および回答を含む知識に関する知識情報データベースを検索する検索工程と、前記検索手段の検索結果が検索ミスである場合、前記質問を前記知識情報データベースに登録する質問登録工程と、登録された前記質問を公開し、回答者に該質問に対する回答を入力させ、該回答を前記知識情報データベースに登録する回答登録工程と、前記質問に対応する回答の中からユーザにベストの回答を選択させ、該質問とベストの回答とを前記知識として前記知識情報データベースに登録する知識登録工程と、前記検索工程により知識が検索された場合に、当該知識を表示するページを閲覧したユーザの評価の当該知識に対する評価点の総和と前記知識を表示するページのページビューとの比に基づいて得られる値に基づいて知識を並べ替えて表示する知識表示工程と、を実行することを特徴とする。
また、コンピュータが、ユーザにより入力された検索キーとしての質問に基づいて、質問および回答を含む知識に関する知識情報データベースを検索する検索工程と、前記検索手段の検索結果が検索ミスである場合、前記質問を前記知識情報データベースに登録する質問登録工程と、登録された前記質問を公開し、回答者に該質問に対する回答を入力させ、該回答を前記知識情報データベースに登録する回答登録工程と、前記質問に対応する回答の中からユーザにベストの回答を選択させ、該質問とベストの回答とを前記知識として前記知識情報データベースに登録する知識登録工程と、前記知識登録工程により登録された知識の規定違反のユーザによる連絡数と前記知識を表示するページのページビューとの比に基づいて算出される値に基づいて、当該知識を閲覧不能に設定する閲覧不能設定工程と、を実行することを特徴とする。
【００１１】
また、本発明は、コンピュータに、ユーザにより入力された検索キーとしての質問に基づいて、質問および回答を含む知識に関する知識情報データベースを検索する検索工程と、前記検索工程の検索結果が検索ミスである場合、前記質問を前記知識情報データベースに登録する質問登録工程と、登録された前記質問を公開し、回答者に該質問に対する回答を入力させ、該回答を前記知識情報データベースに登録する回答登録工程と、前記質問に対応する回答の中からユーザにベストの回答を選択させ、該質問とベストの回答とを前記知識として前記知識情報データベースに登録する知識登録工程と、前記検索工程により知識が検索された場合に、当該知識を表示するページを閲覧したユーザの当該知識に対する評価点の総和と前記知識を表示するページのページビューとの比に基づいて得られる第１の値と、検索キーが前記知識に含まれる度合いに基づいて決定される第２の値との和を算出し、算出された和の値に基づいて知識を並べ替えて表示する知識表示工程と、を実行させるための知識検索プログラムである。 
【発明の効果】
【００１２】
本発明によれば、ユーザにより入力された検索キーとしての質問に基づいて、知識情報データベースを検索した検索結果が検索ミスである場合、質問を知識情報データベースに登録した後、該質問を公開し、回答者に該質問に対する回答を入力させ、該回答を知識情報データベースに登録し、質問に対応する回答から正解と推定されるベストの回答を選択し、該質問とベストの回答とを知識として知識情報データベースに登録することとしたので、検索の流れで質問ができるため、ユーザインタフェースを向上させることができるという効果を奏する。
【発明を実施するための最良の形態】
【００１３】
以下に、本発明にかかる知識検索装置、知識検索方法および知識検索プログラムの実施例を図面に基づいて詳細に説明する。なお、この実施例によりこの発明が限定されるものではない。
【実施例】
【００１４】
図１は、本発明における一実施例の構成を示すブロック図である。同図には、知識検索装置１０、インターネット２０およびユーザ端末３０1〜３０nから構成された知識検索システムが図示されている。知識検索システムは、ユーザからの質問および回答を知識情報として蓄積し、ユーザからの検索要求に応じて、検索結果としての知識情報を提供するためのシステムである。
【００１５】
知識検索装置１０は、インターネット２０に接続されており、検索要求の受け付け、質問の登録、回答の登録、ポイント付与等に関する制御を後述する各種画面（Ｗｅｂサイト：図６〜図１１参照）行う装置である。
【００１６】
ユーザ端末３０1〜３０nは、知識検索装置１０から知識検索サービスを受けることができる複数ｎのユーザにより操作されるコンピュータ端末であり、インターネット２０を介して、知識検索装置１０にアクセス可能とされている。これらのユーザ端末３０1〜３０nは、コンピュータ本体、ディスプレイ、キーボード、マウス、通信装置等から構成されている。
【００１７】
知識検索装置１０において、制御部１１は、各部を制御する。この制御部１１の動作の詳細については、後述する。記憶部１２は、制御部１１で用いられる各種情報やコンピュータプログラムを記憶する。通信部１３は、所定の通信プロトコルに従って通信を制御する。ユーザ情報データベース１４は、ユーザ端末３０1〜３０nに対応する各ユーザに関するユーザ情報を格納するデータベースである。
【００１８】
具体的には、ユーザ情報データベース１４は、図２に示したように、「ユーザＩＤ」、「パスワード」、「氏名」、「住所」、「電話番号」、「電子メールアドレス」、「ポイント」、・・・等のフィールドを備えている。
【００１９】
「ユーザＩＤ」は、ユーザを識別するための識別子である。「パスワード」は、ユーザＩＤとともにユーザを認証する場合に用いられる。「氏名」は、当該ユーザの氏名に関する情報である。「住所」は、当該ユーザの住所に関する情報である。「電話番号」は、当該ユーザの電話番号に関する情報である。「電子メールアドレス」は、当該ユーザの電子メールアドレスに関する情報である。
【００２０】
「ポイント」は、知識検索システムで流通される特典ポイントであり、ユーザに特典（景品交換やサービスの提供）を付与するためのものである。例えば、自身の持ちポイントを他のユーザに譲渡したり、他のユーザの持ちポイントを受け取ったりすることができる。また、ポイントは、後述する回答について、優秀な回答をしたユーザにより多く付与され、ユーザ（回答）の信頼性を図る指標として用いられる。
【００２１】
図１に戻り、知識情報データベース１５は、知識（質問および回答）に関する知識情報を格納するデータベースである。具体的には、知識情報データベース１５は、図３に示したように、「知識ＩＤ」、「質問ＩＤ」、「質問者ＩＤ」、「緊急度」、「カテゴリ」、「質問本文」、「ポイント」、「質問登録日」、「回答件数」、「回答ＩＤ１」、「回答者ＩＤ１」、「回答本文１」、「選択・推薦フラグ１」、「回答登録日１」、「回答ＩＤ２」、「回答者ＩＤ２」、「回答本文２」、「選択・推薦フラグ２」、「回答登録日２」、・・・等のフィールドを備えている。
【００２２】
「知識ＩＤ」は、知識（質問および回答）を識別するための識別子である。「質問ＩＤ」は、上記質問を識別するための識別子である。「質問者ＩＤ」は、当該質問をしたユーザ（質問者）を識別するための識別子であり、「ユーザＩＤ」（図２参照）に対応している。「緊急度」は、質問に対する回答を所望する緊急度（至急、普通、急がない）を表すパラメータ（例えば、１：至急、２：普通、３：急がない）である。
【００２３】
「カテゴリ」は、知識（質問、回答）が属するカテゴリ（エンターテイメント、ビジネスと経済、スポーツレジャー、生活と文化等）に関する情報である。「質問本文」は、質問の本文（例えば、アテネオリンピックの開会式会場の名称は？）である。
【００２４】
「ポイント」は、信頼性が最も高いと思われる回答をした回答者に対して付与されるポイントである。ここで信頼性が最も高いと思われる回答とは、質問者により正解だと選択された回答や、他のユーザにより、正解だと最も多く推薦された回答である。「質問登録日」は、当該質問が知識情報データベース１５に登録された日付に関する情報である。「回答件数」は、当該質問に対する回答の件数に関する情報である。
【００２５】
「回答ＩＤ１」は、質問に対する複数の回答のうち１番目の回答を識別するための識別子である。「回答者ＩＤ１」は、１番目の回答をした回答者（ユーザ）を識別するための識別子であり、「ユーザＩＤ」（図２参照）に対応している。「回答本文１」は、１番目の回答の本文（例えば、アテネスタジアム）である。
【００２６】
「選択・推薦フラグ１」には、当該１番目の回答が、質問者により正解と選択された場合に「１」、または他のユーザにより正解と推薦された場合に「２」が設定される。なお、未設定の場合、「選択・推薦フラグ１」は「０」とされる。「回答登録日１」は、１番目の回答が知識情報データベース１５に登録された日付に関する情報である。
【００２７】
「回答ＩＤ２」は、質問に対する複数の回答のうち２番目の回答を識別するための識別子である。「回答者ＩＤ２」は、２番目の回答をした回答者（ユーザ）を識別するための識別子であり、「ユーザＩＤ」（図２参照）に対応している。「回答本文２」は、２番目の回答の本文（例えば、アテネスミュージアム）である。
【００２８】
「選択・推薦フラグ２」には、当該２番目の回答が、質問者により正解と選択された場合に「１」、または他のユーザにより正解と推薦された場合に「２」が設定される。なお、未設定の場合、「選択・推薦フラグ２」は「０」とされる。「回答登録日２」は、２番目の回答が知識情報データベース１５に登録された日付に関する情報である。
【００２９】
つぎに、一実施例の動作について、図４および図５に示したフローチャート、図６〜図１１に示した各種画面を参照しつつ説明する。以下では、ユーザ端末３０1に対応するユーザが知識検索装置１０で知識検索を行い、検索ミス（検索ヒットしない場合）のため質問を登録した後、他のユーザ（回答者）から回答を得る場合を一例として説明する。
【００３０】
図４に示したステップＳＡ１では、知識検索装置１０の制御部１１は、ユーザ端末３０1〜３０nのうちいずれか一つのユーザ端末からログインされたか否かを判断し、この場合、判断結果を「Ｎｏ」として、同判断を繰り返す。
【００３１】
そして、ユーザの操作に基づいて、ユーザ端末３０1がインターネット２０を介して、知識検索装置１０にログイン（ユーザＩＤおよびパスワードを入力）すると、制御部１１は、ステップＳＡ１の判断結果を「Ｙｅｓ」とする。ステップＳＡ２では、制御部１１は、図６に示したトップ画面１００をユーザ端末３０1に表示させる。
【００３２】
このトップ画面１００は、知識検索を行うための画面である。このトップ画面１００において、検索キーワード入力欄１０１は、知識検索のための検索キーワード（例えば、質問の一部や全文）を入力するための欄である。検索ボタン１０２は、知識検索を実行する場合に押下されるボタンである。ポイントランキング表１０３は、前述したポイントの獲得ランキング（ユーザＩＤ別）である。カテゴリ一覧１０４は、前述したカテゴリの具体例である。
【００３３】
ステップＳＡ３では、制御部１１は、検索ボタン１０２が押下されたか否かを判断し、この場合、判断結果を「Ｎｏ」として、同判断を繰り返す。そして、当該ユーザは、アテネオリンピックの開会式会場の名称を検索すべく、「アテネオリンピックの開会式会場の名称」という検索キーワードを検索キーワード入力欄１０１に入力した後、検索ボタン１０２を押下する。
【００３４】
これにより、制御部１１は、ステップＳＡ３の判断結果を「Ｙｅｓ」とする。ステップＳＡ４では、制御部１１は、検索キーワード（「アテネオリンピックの開会式会場の名称」）を形態素解析（アテネオリンピック、開会式会場、名称）し、一部または全部を検索キーとして、知識情報データベース１５（図３参照）を検索する。
【００３５】
ステップＳＡ５では、制御部１１は、検索ヒットしたか否かを判断する。この場合、検索ミス（検索ヒットしない場合）であるとすると、制御部１１は、ステップＳＡ５の判断結果を「Ｎｏ」とする。ステップＳＡ６では、制御部１１は、図７に示した質問画面１１０をユーザ端末３０1に表示させる。
【００３６】
この質問画面１１０は、検索ミスをトリガとして、当該ユーザが所望する情報を得るための質問を登録するための画面である。質問画面１１０において、緊急度入力欄１１１は、上述した緊急度（図３参照）を選択形式により入力するための欄である。カテゴリ選択ボタン１１２は、当該質問が属するカテゴリを選択形式により選択するための欄である。
【００３７】
カテゴリ入力欄１１３は、カテゴリ選択ボタン１１２で選択されたカテゴリを入力するための欄である。質問本文入力欄１１４は、当該質問の本文（例えば、アテネオリンピックの開会式会場の名称は？）を入力するための欄である。なお、一実施例においては、この質問本文入力欄１１４に、検索キーワード入力欄１０１（図６参照）で入力された検索キーワードがデフォルトで入力される構成例としてもよい。
【００３８】
ポイント入力欄１１５は、正解により近い回答をした回答者に対して、質問者から当該回答者へ譲渡されるポイントであり、選択方式により入力される。質問ボタン１１６は、質問を登録する場合に押下されるボタンである。ステップＳＡ７では、制御部１１は、質問ボタン１１６が押下されたか否かを判断し、この場合、判断結果を「Ｎｏ」として、同判断を繰り返す。
【００３９】
そして、ユーザは、緊急度入力欄１１１に「普通」、カテゴリ入力欄１１３に「エンターテイメント」、質問本文入力欄１１４に「アテネオリンピックの開会式会場の名称は？」、ポイント入力欄１１５に「１０」がそれぞれ入力されたことを確認した後、質問ボタン１１６を押下する。
【００４０】
これにより、制御部１１は、ステップＳＡ７の判断結果を「Ｙｅｓ」とする。ステップＳＡ８では、制御部１１は、知識ＩＤ、質問ＩＤを採番した後、質問画面１１０の入力内容に基づいて、図３に示したように、質問に関する情報を知識情報データベース１５に登録する。なお、現時点では、回答が得られてないため、回答ＩＤ１、回答者ＩＤ１、・・・等の情報は、知識情報データベース１５に登録されていない。
【００４１】
ステップＳＡ９では、制御部１１は、当該ユーザに対応するユーザ端末３０1がログアウトしたか否かを判断し、この場合、判断結果を「Ｎｏ」として、ステップＳＡ２でトップ画面１００をユーザ端末３０1に表示させる。これにより、質問の登録が完了する。この質問に関する情報は、後述する検索結果画面１２０（図８参照）を通じて公開される。
【００４２】
つぎに、他のユーザ（例えば、ユーザ端末３０2に対応）が上記質問に対して回答する場合について説明する。この場合、当該ユーザの操作に基づいて、ユーザ端末３０2がインターネット２０を介して、知識検索装置１０にログインすると、制御部１１は、ステップＳＡ１の判断結果を「Ｙｅｓ」とする。ステップＳＡ２では、制御部１１は、図６に示したトップ画面１００をユーザ端末３０2に表示させる。
【００４３】
そして、当該ユーザは、アテネオリンピック関連の質問に回答すべく、「アテネオリンピック」という検索キーワードを検索キーワード入力欄１０１に入力した後、検索ボタン１０２を押下する。
【００４４】
これにより、制御部１１は、ステップＳＡ３の判断結果を「Ｙｅｓ」とする。ステップＳＡ４では、制御部１１は、検索キーワード（「アテネオリンピック」）を形態素解析（アテネオリンピック）し、これを検索キーとして、知識情報データベース１５（図３参照）を検索する。
【００４５】
ステップＳＡ５では、制御部１１は、検索ヒットしたか否かを判断する。この場合、検索ヒットであるとすると、制御部１１は、ステップＳＡ５の判断結果を「Ｙｅｓ」とする。ステップＳＡ１０では、制御部１１は、閲覧処理を実行する。
【００４６】
具体的には、図５に示したステップＳＢ１では、制御部１１は、図８に示した検索結果画面１２０をユーザ端末３０2に表示させる。この検索結果画面１２０は、検索結果を閲覧するための画面である。ここで、検索結果としては、回答受け付け質問欄１２１に表示された回答受け付け質問（例えば、回答受け付け質問１２１ａ）、回答締め切り質問欄１２２に表示された回答締め切り質問（例えば、回答締め切り質問１２２ａ）および知識欄１２３に表示された知識（例えば、知識１２３ａ）という三種類がある。
【００４７】
回答受け付け質問は、当該質問が登録されてから所定期間に回答を受け付ける質問である。回答締め切り質問は、所定期間経過し、回答が締め切られた質問である。知識は、回答締め切り質問１２２における質問について、質問者により回答（正解と思われるもの）が選択または他のユーザにより回答（正解と思われるもの）が推薦されたもの（質問および回答）である。
【００４８】
なお、現時点では、回答受け付け質問欄１２１に回答受け付け質問１２１ａが表示されており、他の回答締め切り質問欄１２２および知識欄１２３には、いずれの情報も表示されていないものとする。回答受け付け質問１２１ａは、質問画面１１０（図７参照）で登録された質問に対応している。
【００４９】
また、検索結果画面１２０には、トップ画面１００（図６参照）と同様にして、検索キーワード入力欄１２４、検索ボタン１２５およびポイントランキング表１２６が表示されている。
【００５０】
ステップＳＢ２では、制御部１１は、図８に示した回答受け付け質問欄１２１における回答受け付け質問が押下されたか否かを判断し、この場合、判断結果を「Ｎｏ」とする。ステップＳＢ３では、制御部１１は、回答締め切り質問欄１２２における回答締め切り質問が押下されたか否かを判断し、この場合、判断結果を「Ｎｏ」とする。
【００５１】
ステップＳＢ４では、制御部１１は、知識欄１２３における知識が押下されたか否かを判断し、この場合、判断結果を「Ｎｏ」とする。以後、制御部１１は、ステップＳＢ２〜ステップＳＢ４のうちいずれか一つの判断結果が「Ｙｅｓ」となるまで、ステップＳＢ２〜ステップＳＢ４の判断を繰り返す。
【００５２】
そして、当該ユーザ（ユーザ端末３０2に対応）が回答すべく、回答受け付け質問１２１ａを押下すると、制御部１１は、ステップＳＢ２の判断結果を「Ｙｅｓ」とする。ステップＳＢ５では、制御部１１は、図９に示した回答画面１３０をユーザ端末３０2に表示させる。
【００５３】
この回答画面１３０は、当該質問に対する回答を登録するための画面である。この回答画面１３０において、質問本文表示欄１３１は、質問本文入力欄１１４（図７参照）に入力され、かつ知識情報データベース１５に登録された質問本文（アテネオリンピックの開会式会場の名称は？）を表示するための欄である。
【００５４】
回答本文入力欄１３２は、質問本文表示欄１３１に表示された質問に対する回答を入力するための欄である。ＵＲＬ入力欄１３３は、ＵＲＬを入力するための欄である。このＵＲＬは、当該回答の出典を示すＷｅｂサイトの場所を表す。書籍ＩＤ入力欄１３４は、書籍ＩＤを入力するための欄である。この書籍ＩＤは、当該回答の出典を示す書籍を識別するための識別子である。
【００５５】
回答ボタン１３５は、回答本文入力欄１３２に入力された回答を知識情報データベース１５に登録する場合に押下されるボタンである。また、検索結果画面１３０には、トップ画面１００（図６参照）と同様にして、検索キーワード入力欄１３６および検索ボタン１３７が表示されている。
【００５６】
ステップＳＢ６では、制御部１１は、回答ボタン１３５が押下されたか否かを判断し、この場合、判断結果を「Ｎｏ」として、同判断を繰り返す。そして、ユーザ（ユーザ端末３０2に対応）により、回答本文入力欄１３２に回答（例えば、アテネスタジアム）が入力された後、回答ボタン１３５が押下されると、制御部１１は、ステップＳＢ６の判断結果を「Ｙｅｓ」とする。
【００５７】
なお、ＵＲＬ入力欄１３３や書籍ＩＤ入力欄１３４にＵＲＬや書籍ＩＤが入力された場合には、これらの情報が回答の出典を表す情報として、回答本文とともに登録され公開される。
【００５８】
ステップＳＢ１０では、制御部１１は、回答ＩＤ１を採番した後、回答画面１３０の入力内容に基づいて、図３に示したように、１番目の回答に関する情報（回答ＩＤ１、回答者ＩＤ１、回答本文１、回答登録日１）を知識情報データベース１５に登録した後、ステップＳＡ９の判断を行う。
【００５９】
そして、上記質問が登録されてから所定期間が経過してから、ユーザ（ユーザ端末３０1）が知識検索装置１０にログインした後、上述した動作を経ると、制御部１１は、「アテネオリンピックの開会式会場の名称は？」という質問に対応する検索結果画面１２０（図８参照）をユーザ端末３０1に表示する。
【００６０】
なお、現時点では、回答受け付け質問欄１２１および知識欄１２３にいずれの情報も表示されておらず、回答締め切り質問欄１２２に回答締め切り質問１２２ａが表示されているものとする。この回答締め切り質問１２２ａは、回答受け付け質問１２１ａに対応しており、回答数が３とされている。
【００６１】
制御部１１は、ステップＳＢ２〜ステップＳＢ４の判断を繰り返す。そして、ユーザ（ユーザ端末３０1に対応）は、３つの回答の中から正解と思われる回答（ベスト回答）を１つ選択すべく、回答締め切り質問１２２ａを押下する。
【００６２】
これにより、制御部１１は、ステップＳＢ３の判断結果を「Ｙｅｓ」とする。ステップＳＢ７では、制御部１１は、当該ユーザのユーザＩＤ（taro）をキーとして、当該ユーザが質問者本人であるか否かを判断し、この場合、判断結果を「Ｙｅｓ」とする。
【００６３】
ステップＳＢ８では、制御部１１は、図１０に示した選択画面１４０をユーザ端末３０1に表示させる。この選択画面１４０は、３つの回答（回答数に対応）の中からユーザ（質問者）が正解と思われる回答を選択するための画面である。
【００６４】
この選択画面１４０において、質問本文表示欄１４１は、質問本文入力欄１１４（図７参照）に入力され、かつ知識情報データベース１５に登録された質問本文（アテネオリンピックの開会式会場の名称は？）を表示するための欄である。
【００６５】
回答本文表示欄１４２1は、質問本文表示欄１４１に表示された質問に対する１番目の回答（例えば、アテネスタジアム）を表示するための欄である。選択ボタン１４３1は、当該１番目の回答をベスト回答として選択する場合に押下されるボタンである。
【００６６】
回答本文表示欄１４２2は、質問本文表示欄１４１に表示された質問に対する２番目の回答（例えば、アテネミュージアム）を表示するための欄である。選択ボタン１４３2は、当該２番目の回答をベスト回答として選択する場合に押下されるボタンである。
【００６７】
また、選択画面１４０には、トップ画面１００（図６参照）と同様にして、検索キーワード入力欄１３６および検索ボタン１３７が表示されている。
【００６８】
ステップＳＢ９では、制御部１１は、選択ボタン（選択ボタン１４３1、１４３2等）が押下されたか否かを判断し、この場合、判断結果を「Ｎｏ」として、同判断を繰り返す。そして、ユーザ（ユーザ端末３０1に対応）により、回答本文表示欄１４２1に表示された１番目の回答がベスト回答として選択され、選択ボタン１４３1が押下されると、制御部１１は、ステップＳＢ９の判断結果を「Ｙｅｓ」とする。
【００６９】
ステップＳＢ１０では、制御部１１は、選択された１番目の回答に対応する選択・推薦フラグ１（図３）に「１」を登録するとともに、知識情報データベース１５上でベスト回答に対応するユーザのポイントに質問者のポイントを移動する。これにより、１番目の回答と質問とが知識とされ、この知識は、検索結果画面１２０（図８参照）の知識１２３ａとして表示される。
【００７０】
なお、知識１２３ａが押下されると、制御部１１は、ステップＳＢ４の判断結果を「Ｙｅｓ」とする。ステップＳＢ１３では、制御部１１は、知識１２３ａに対応する知識（質問およびベスト回答）を知識画面（図示略）としてユーザ端末に表示させる。
【００７１】
また、ステップＳＢ７の判断結果が「Ｎｏ」である場合、すなわち、質問者以外のユーザ（例えば、ユーザ端末３０3に対応）が回答締め切り質問１２２ａを押下した場合、制御部１１は、ステップＳＢ７の判断結果を「Ｎｏ」とする。
【００７２】
ステップＳＢ１１では、制御部１１は、図１１に示した推薦画面１５０をユーザ端末３０3に表示させる。この推薦画面１５０は、３つの回答の中から他のユーザ（質問者以外のユーザ）が正解と思われる回答を推薦するための画面である。
【００７３】
この推薦画面１５０において、質問本文表示欄１５１は、質問本文入力欄１１４（図７参照）に入力され、かつ知識情報データベース１５に登録された質問本文（アテネオリンピックの開会式会場の名称は？）を表示するための欄である。
【００７４】
回答本文表示欄１５２1は、質問本文表示欄１５１に表示された質問に対する１番目の回答（例えば、アテネスタジアム）を表示するための欄である。推薦ボタン１５３1は、当該１番目の回答をベスト回答として推薦する場合に押下されるボタンである。
【００７５】
回答本文表示欄１５２2は、質問本文表示欄１５１に表示された質問に対する２番目の回答（例えば、アテネミュージアム）を表示するための欄である。推薦ボタン１５３2は、当該２番目の回答をベスト回答として選択する場合に押下されるボタンである。
【００７６】
ステップＳＢ１２では、制御部１１は、推薦ボタン（推薦ボタン１５３1、１５３2等）が押下されたか否かを判断し、この場合、判断結果を「Ｎｏ」として、同判断を繰り返す。そして、ユーザ（ユーザ端末３０3に対応）により、回答本文表示欄１５２1に表示された１番目の回答がベスト回答として推薦され、推薦ボタン１５３1が押下されると、制御部１１は、ステップＳＢ１２の判断結果を「Ｙｅｓ」とする。
【００７７】
ステップＳＢ１０では、制御部１１は、推薦された１番目の回答に対応する選択・推薦フラグ１（図３）に「２」を登録するとともに、知識情報データベース１５上で、ベスト回答に対応するユーザのポイントに質問者のポイントを移動する。これにより、１番目の回答と質問とが知識とされる。
【００７８】
なお、一実施例においては、回答者が質問に対する回答を知識情報データベース１５に登録後に、他のユーザにより別の回答が知識情報データベース１５に登録された場合、その旨を電子メールやインスタントメッセンジャー等を介して当該回答者のユーザ端末に通知するアラート機能を制御部１１に持たせる構成例としてもよい。
【００７９】
この構成例では、複数の回答者同士がベスト回答を目指して、さらに付加価値を付けた回答を再登録するという頻繁な更新が期待され、切磋琢磨により、回答の質向上をさらに図ることができる。
【００８０】
また、一実施例においては、質問者によりベスト回答（回答者自身または他の回答者による回答）が選択された場合、その旨を電子メールやインスタントメッセンジャー等を介して当該ベスト回答に対応するユーザのユーザ端末へ通知するアラート機能を制御部１１に持たせる構成例としてもよい。
【００８１】
また、一実施例においては、回答を受け付ける所定期間が経過した場合、その旨を電子メールやインスタントメッセンジャー等を介して回答者のユーザ端末へ通知するアラート機能を制御部１１に持たせる構成例としてもよい。
【００８２】
この構成例では、質問者がベスト回答を選択しない場合、回答者から質問者へ選択を直接促すきっかけとなる。
【００８３】
また、一実施例においては、図８に示した回答受け付け質問欄１２１で複数の質問を表示する場合、その見出しに質問本文の冒頭一定数の文字を自動的に表示する構成例としてもよい。
【００８４】
また、かかる複数の質問の表示順序は、当該の質問が押下された回数と回答された回数の多いものから順とする。押下された回数や回答された回数が多い質問は、回答受け付け質問欄１２１に表示された見出しが簡潔に質問内容を現しているものに偏りがちと考えられる。
【００８５】
従って、回答受け付け質問欄１２１の上位での表示を希望するユーザは、質問本文入力欄１１４（図７参照）で質問本文を入力する際にその前半部分に質問の要点を簡潔に入力することが期待される。
【００８６】
また、一実施例においては、書籍ＩＤ入力欄１３４に書籍ＩＤとして、ＩＳＢＮ（国際標準図書番号）を入力し、ＩＳＢＮを回答とともに表示させ、このＩＳＢＮと書籍販売サイトの当該書籍ページとをリンクさせる構成例としてもよい。
【００８７】
この場合、アフリエイト機能の実現が期待される。すなわち、上記リンクを生成する場合、リンク先（書籍ページ）のＵＲＬに回答者のユーザＩＤを埋め込み、別のユーザがそのリンクをクリックして実際に書籍を購入した場合、売上金額の一定割合を当該回答者に与えるというアフリエイトの実現が可能となる。
【００８８】
また、一実施例においては、ＵＲＬ入力欄１３３（図９参照）に回答の出典に対応するＵＲＬを入力した回答者には、別途、ポイントを付与する構成例としてもよい。この構成例では、回答の出典を示す動機をつくりだし、結果的に出典が明示された良回答を蓄積することが可能となる。
【００８９】
また、一実施例においては、書籍ＩＤ入力欄１３４（図９参照）に書籍ＩＤ（例えば、ＩＳＢＮ（国際標準図書番号））を入力した回答者には、別途、ポイントを付与する構成例としてもよい。この構成例では、回答の出典を示す動機をつくりだし、結果的に出典が明示された良回答を蓄積することが可能となる。
【００９０】
また、一実施例においては、検索結果画面１２０（図８参照）や質問・回答の詳細画面に利用規約違反（例えば、公序良俗に反する質問や回答を入力）を発見した場合に、知識検索装置１０の運営者にその旨を申告するための申告フォームを設けて、この申告フォームを介して、利用規約違反を運営者に通知する構成例としてもよい。また、この構成例では、申告者に対して、別途、ポイントを付与することにより、申告を活性化し、質問や回答の監視を強化してもよい。
【００９１】
また、一実施例においては、質問や回答に責任を持たせるべく、質問者や回答者が積極的に自身の個人情報を開示することを奨励し、個人情報の開示度が高い質問者や回答者に別途、ポイントを付与する構成例としてもよい。
【００９２】
また、一実施例においては、回答が締め切られかつベスト回答が選択された知識（知識１２３ａ：図８参照）の横に、「この知識に関連する質問をする」という質問ボタンを設けて、質問・回答をして、さらに知識を生成し、関連性がある複数の知識を紐付けする構成例としてもよい。
【００９３】
また、一実施例においては、図８に示したような検索結果画面１２０において、知識欄１２３に知識を複数表示する場合に、表示する優先順位となる知識の適合度を判定し、適合度の高い順に各知識の表示順を並べ替える適合度判定機能を制御部１１に持たせる構成例としてもよい。
【００９４】
たとえば、制御部１１は、知識欄１２３に表示された知識をマウス等でクリックすると、図１２に示すように、質問と質問に対するベスト回答とを表示する詳細画面１６０に画面が遷移するようにしておく。
【００９５】
そして、制御部１１は、質問とベスト回答とが役に立つものであるか否かの評価を、はいボタン１６３、または、いいえボタン１６４をユーザに押下させることにより受け付ける。また、一方では、制御部１１は、詳細画面１６０のページビューを調べ、記憶部１２に記憶しておく。
【００９６】
その後、制御部１１は、適合度を、以下のようにして計算する。ただし、以下の適合度の式において、小数点第１位は四捨五入される。
（適合度）＝（（Ａ）＋（Ｂ））／１０
（Ａ）＝（評価点の総和）／（詳細画面のページビュー）×１０００＋１０００
（Ｂ）＝文字列一致の評価点
【００９７】
ここで、評価点の総和は、はいボタン１６３が押下された回数から、いいえボタン１６４が押下された回数を差し引いたものである。
【００９８】
また、文字列一致の評価点は、検索キーワードが質問やベスト回答、あるいは、その他の回答に含まれるか否かに応じて算出される得点である。たとえば、検索キーワードが質問に含まれる場合には６０点、ベスト回答に含まれる場合には８０点、その他の回答に含まれる場合には１０点というように点を加算していく。
【００９９】
具体例を挙げると、図１２に示したように、質問が「アテネオリンピックの開会式式場の名称は？」であり、ベスト回答が「アテネスタジアム」であり、その他の回答（図示せず）が「アテネミュージアム」であるとし、上記質問が掲載された詳細画面１６０のページビューが１００であり、はいボタン１６３が押下された回数が１０であり、いいえボタン１６４が押下された回数が２であるとし、文字列一致の評価点を上記のような方法で算出することとする。
【０１００】
この場合、（Ａ）の値は、上記式により（１０−２）／１００×１０００＋１０００＝１０８０となる。また、（Ｂ）の値は、検索キーワードにより変化する。
【０１０１】
たとえば、「アテネ」という検索キーワードで知識を検索した場合には、「アテネ」が質問、ベスト回答、その他の回答のすべてに含まれるため、（Ｂ）の値は、６０＋８０＋１０＝１５０となる。
【０１０２】
また、「アテネオリンピック」という検索キーワードで知識を検索した場合には、「アテネオリンピック」は、質問にのみ含まれるため、（Ｂ）の値は６０となる。また、「ギリシャ」という検索キーワードで知識を検索した場合には、「ギリシャ」は、質問、ベスト回答、その他の回答に含まれないため、（Ｂ）の値は算出されない。
【０１０３】
よって、適合度は、「アテネ」という検索キーワードで知識を検索した場合には、（１０８０＋１５０）／１０＝１２３となり、「アテネオリンピック」という検索キーワードで知識を検索した場合には、（１０８０＋６０）／１０＝１１４となり、「ギリシャ」という検索キーワードで知識を検索した場合には、値をもたず、検索対象外となる。
【０１０４】
このように、ユーザによる評価と、検索キーワードが質問、ベスト回答、その他の回答に含まれるか否かという２つの基準により、検索された各知識の表示順を変更するため、ユーザの評価が高く、かつ、より検索キーワードに関連する知識を優先的に表示することができるようになる。
【０１０５】
また、１人ではいボタン１６３を何度も押下し、恣意的に特定の知識の適合度を上げようとするユーザが現れた場合には、一時的には適合度があがり、当該知識が優先的に表示されるようになるが、優先的に表示されると数多くの人が詳細画面１６０を閲覧するようになり、ページビューが増えるため、はいボタン１６３を多くの人が押下しない場合には、適合度が小さくなり、いずれ優先順位が低くなる。
【０１０６】
このように、ユーザの評価を考慮する場合に、単に評価点を用いるのではなく、評価点をページビューで割り算した値を用いることにより、適合度を上げるためだけのアクセスを排除することができ、公平性を保持できるという利点が生じる。
【０１０７】
また、一実施例においては、掲載ガイドラインに違反した質問や回答の通報をユーザから受け付け、受け付けた通報の数に基づいて質問および回答を閲覧不能に設定する閲覧可否設定機能を制御部１１に持たせる構成例としてもよい。
【０１０８】
たとえば、図１２に示した詳細画面１６０には、[違反質問・回答の連絡]１６７というリンクが表示される。そして、詳細画面１６０に表示された質問および回答がガイドラインに違反したものであると判断したユーザは、当該リンクをマウス等でクリックすることにより、その通報を電子メールでおこなうことができる。
【０１０９】
そして、制御部１１は、通報された数を詳細画面１６０ごとに集計する。一方では、制御部１１は、詳細画面１６０のページビューを調べ、記憶部１２に記憶しておく。その後、制御部１１は、通報された数をページビューで割り算し、その結果得られた数値が所定の閾値よりも大きいか否かを調べる。
【０１１０】
そして、得られた数値が所定の閾値よりも大きい場合には、制御部１１は、その詳細画面１６０を閲覧不能に設定する。
【０１１１】
ここでは、通報された数をページビューで割り算し、その結果得られた数値と閾値とを比較しているが、通報された数の絶対数ではなく、このようにページビューで割り算した値を用いることにより、質問と回答とを見た人のうち、何％の人が削除を望んでいるのかが明白となり、その質問と回答とを閲覧不能とするか否かを適切に判定することができる。
【０１１２】
以上説明したように、一実施例によれば、ユーザにより検索キーワード入力欄１０１に入力された検索キーとしての質問に基づいて、知識情報データベース１５を検索した検索結果が検索ミスである場合、質問を知識情報データベース１５に登録した後、該質問を公開し、回答者に該質問に対する回答を入力させ、該回答を知識情報データベース１５に登録し、質問に対応する回答から正解と推定されるベストの回答を選択し、該質問とベストの回答とを知識として知識情報データベース１５に登録することとしたので、検索の流れで質問ができるため、ユーザインタフェースを向上させることができる。
【０１１３】
また、一実施例によれば、ベストの回答を入力した回答者に対して、特典としてのポイントを付与することとしたので、回答の質を向上させることができる。
【０１１４】
また、一実施例によれば、検索結果画面１２０（図８参照）で、回答と、該回答の出典に関する出典情報（ＵＲＬや書籍ＩＤ）とを入力させ、出典情報を回答とともに公開することとしたので、回答の信頼性を向上させることができる。
【０１１５】
また、一実施例によれば、質問画面１１０（図７参照）で、質問の回答に関する緊急度を質問者に入力させ、該質問および緊急度を回答者に公開することとしたので、迅速な回答を期待することができる。
【０１１６】
また、一実施例によれば、検索結果画面１２０（図８参照）で、知識に対するユーザの評価および検索キーワードが当該知識に含まれる度合いに基づいて知識を並べ替えて表示することとしたので、ユーザの評価が高く、かつ、より検索キーワードに関連する知識を優先的に表示することができる。
【０１１７】
また、一実施例によれば、検索結果画面１２０（図８参照）で、知識に対するユーザの評価得点および知識が閲覧されるページのページビューの比に基づいて算出される値と、検索キーが前記知識に含まれる度合いに基づいて決定される値との和を算出し、算出された和の値に基づいて知識を並べ替えて表示することとしたので、単に評価点を用いるのではなく、評価点をページビューで割り算した値を用いることにより、表示順位を上げるためだけのアクセスを排除することができ、公平性を保持できる。
【０１１８】
また、一実施例によれば、知識の規定違反のユーザによる連絡数と知識が閲覧されるページのページビューとの比に基づいて算出される値に基づいて、当該知識を閲覧不能に設定することとしたので、知識を閲覧した人のうち、何％の人が削除を望んでいるのかを明白に把握することができ、その知識を閲覧不能とするか否かを適切に判定することができる。
【０１１９】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１２０】
例えば、前述した一実施例においては、知識検索装置１０の機能を実現するためのプログラムを図１３に示したコンピュータ読み取り可能な記録媒体３００に記録して、この記録媒体３００に記録されたプログラムを同図に示したコンピュータ２００に読み込ませ、実行することにより各機能を実現してもよい。
【０１２１】
同図に示したコンピュータ２００は、上記プログラムを実行するＣＰＵ（Central Processing Unit）２１０と、キーボード、マウス等の入力装置２２０と、各種データを記憶するＲＯＭ（Read Only Memory）２３０と、演算パラメータ等を記憶するＲＡＭ（Random Access Memory）２４０と、記録媒体３００からプログラムを読み取る読取装置２５０と、ディスプレイ、プリンタ等の出力装置２６０とから構成されている。
【０１２２】
ＣＰＵ２１０は、読取装置２５０を経由して記録媒体３００に記録されているプログラムを読み込んだ後、プログラムを実行することにより、前述した機能を実現する。なお、記録媒体３００としては、光ディスク、フレキシブルディスク、ハードディスク等が挙げられる。
【産業上の利用可能性】
【０１２３】
以上のように、本発明にかかる知識検索装置、知識検索方法および知識検索プログラムは、知識検索に伴うユーザインタフェースや回答の質を高めることに対して有用である。
【図面の簡単な説明】
【０１２４】
【図１】本発明にかかる一実施例の構成を示すブロック図である。
【図２】図１に示したユーザ情報データベース１４のテーブル構造を示す図である。
【図３】図１に示した知識情報データベース１５のテーブル構造を示す図である。
【図４】同一実施例の動作を説明するフローチャートである。
【図５】図４に示した閲覧処理を説明するフローチャートである。
【図６】同一実施例におけるトップ画面１００を示す図である。
【図７】同一実施例における質問画面１１０を示す図である。
【図８】同一実施例における検索結果画面１２０を示す図である。
【図９】同一実施例における回答画面１３０を示す図である。
【図１０】同一実施例における選択画面１４０を示す図である。
【図１１】同一実施例における推薦画面１５０を示す図である。
【図１２】同一実施例における詳細画面１６０を示す図である。
【図１３】同一実施例における変形例の構成を示すブロック図である。
【符号の説明】
【０１２５】
１０  知識検索装置
１１  制御部
１２  記憶部
１３  通信部
１４  ユーザ情報データベース
１５  知識情報データベース
２０  インターネット
３０1〜３０n  ユーザ端末
【図１】
0004724441.tif 000002
【図２】
0004724441.tif 000003
【図３】
0004724441.tif 000004
【図４】
0004724441.tif 000005
【図５】
0004724441.tif 000006
【図６】
0004724441.tif 000007
【図７】
0004724441.tif 000008
【図８】
0004724441.tif 000009
【図９】
0004724441.tif 000010
【図１０】
0004724441.tif 000011
【図１１】
0004724441.tif 000012
【図１２】
0004724441.tif 000013
【図１３】
0004724441.tif 000014